(57)【特許請求の範囲】
【請求項１】
チャンバ構造、ドア・アセンブリ及びマイクロ波を透過できるインナーポット（２０）を備えるマイクロ波炊飯器であって、
前記チャンバ構造は、マイクロ波送信機構、内部に調理室が設けられたチャンバ（２）と、調理室の両端部にそれぞれ位置するトップキャップ（１）及びボトムキャップ（５）とを含み、当該ボトムキャップ（５）は底部から前記調理室を覆い、前記トップキャップ（１）に前記調理室の頂部開口が形成され、
前記インナーポット（２０）を、前記頂部開口から前記調理室に装入し、或いは調理室から取り出すことができ、
頂部から前記調理室を開いたり閉じたりするように、前記ドア・アセンブリは開閉自在に前記トップキャップ（１）に取り付けられ、
前記マイクロ波送信機構は、底部からマイクロ波を調理室に供給するように前記ボトムキャップの底部に取り付けられ、
前記ボトムキャップ(５)は円盤状をなし、前記ボトムキャップ(５)の内側には下に向いて凹んでいるプレス金型空間が形成され、前記プレス金型空間内には円周階段部が設けられ、前記円周階段部にマイクロ波透過可能なシェルフ（３）が設けられ、前記調理室の内部に嵌め込まれる前記インナーポット（２０）は前記シェルフ（３）によって受圧され、
前記マイクロ波炊飯器は更に撹拌アセンブリを含み、当該撹拌アセンブリは、円盤形の形状をなし、かつ前記調理室の底部に設置されたシェルフ（３）と前記ボトムキャップ（５）の間に設けられているマイクロ波撹拌板（４）と、前記ボトムキャップ（５）の下方に設けられ、かつモータ出力軸が前記ボトムキャップ（５）を通して前記マイクロ波撹拌板（４）に接続する撹拌モータ（７）とを含み、前記マイクロ波撹拌板（４）は、前記撹拌モータ（７）により駆動されて回転し、前記調理室に入射したマイクロ波を撹拌できるようにし、
前記マイクロ波撹拌板（４）の頂面に弦Ａ（４１）に沿って上向き折り返しの弧弦部が形成され、該弧弦部は、上弧弦面（４４）の弦Ｂ（４３）から斜め下方向かつ内側に向けて前記頂面の弦Ａ（４１）に延伸する傾斜反射平面（４２）と、前記上弧弦面（４４）とを備え、前記弧弦部には切り口が設けられ、当該切り口は前記傾斜反射平面（４２）の中央部分が切除されて該中央部分に横開き穴（４５）が形成され、前記マイクロ波撹拌板（４）の円心（Ｏ）の片側には、前記弧弦部が形成され、別の側には、縦に貫通する第一長方形穴（４７）と第二長方形穴（４８）とが設けられ、前記第一長方形穴（４７）及び第二長方形穴（４８）のそれぞれの近端は、相互に接近しかつ夾角をなすように配置され、前記第一長方形穴（４７）の遠端は、前記弦Ａ（４１）の一方の端部に向けて延伸され、前記第二長方形穴（４８）の遠端は、前記弦Ａ（４１）の他方の端部に向けて延伸され、前記第一長方形穴（４７）及び第二長方形穴（４８）の前記円心（Ｏ）に近い長い辺に、共に上向き折り返しの反射フランジ（４９）が形成されていることを特徴とするマイクロ波炊飯器。
【請求項２】
前記ドア・アセンブリの第一端部は、ヒンジ機構（２２）を介して前記トップキャップ（１）の第一端部にヒンジ結合され、前記トップキャップ（１）の第二端部にはインターロック機構（２３）が設けられ、且つコントロールパネルモジュール（２４）が装着され、前記ドア・アセンブリ（２５）の第二端部にはドアフック（２５）が設けられ、前記ドア・アセンブリは、前記ヒンジ機構のまわりを回転できることにより、前記調理室を閉じたクローズ状態または前記調理室を開いたオープン状態にされ、前記クローズ状態において、前記ドア・アセンブリは、前記トップキャップ（１）の頂面を覆い、前記ドアフック（２５）と前記インターロック機構（２３）をロックして前記コントロールパネルモジュール（２４）にドア本体を閉鎖する信号を送信し、当該コントロールパネルモジュール（２４）は、前記ドア本体を閉鎖する信号を受信し、且つ活動化状態に触発され、前記オープン状態において、前記インターロック機構（２３）が前記ドア本体を開く信号を送信し、前記コントロールパネルモジュール（２４）は、前記ドア本体を開く信号により非活動化状態に切り替えることを特徴とする、請求項１に記載のマイクロ波炊飯器。
【請求項３】
前記ヒンジ機構（２２）は、前記トップキャップ（１）の第一端部に設けられるピボット軸（２２１）と、トーションスプリング（２２２）とを備え、前記ドア・アセンブリは、前記ピボット軸（２２１）のまわりを回転することができ、前記トーションスプリング（２２２）は、前記ピボット軸（２２１）にセットされ、且つ当該トーションスプリング（２２２）の両端がそれぞれ前記ドア・アセンブリと前記トップキャップ（１）に弾性バイアスされることを特徴とする、請求項２に記載のマイクロ波炊飯器。
【請求項４】
前記ドア・アセンブリは、外から内まで順次に接合されるドア表面（２６）、ドア本体（２７）、ドアシール（２８）を含み、前記ドア表面（２６）と前記ドア本体（２７）には、マイクロ波の透過を防止するための前記調理室の閉鎖に用いられるメタルシートを含み、前記ドアフック（２５）は前記ドア本体（２７）から下向きに延伸し、前記ドア・アセンブリの前記クローズ状態において、前記ドアシール（２８）は、前記調理室を封止するように、前記ドア本体（２７）と前記トップキャップ（１）の間に敷設されることを特徴とする、請求項２に記載のマイクロ波炊飯器。
【請求項５】
前記チャンバ（２）は、マイクロ波透過を防止する金属製の円筒状板を備え、当該円筒状板の内筒室に前記調理室が形成され、前記円筒状板の頂部周縁は前記トップキャップ（１）に接続され、前記円筒状板の底部周縁は前記ボトムキャップ（５）の内側壁に封止して接続され、前記トップキャップ（１）とボトムキャップ（５）はいずれもマイクロ波透過防止する金属カバーであることを特徴とする、請求項１に記載のマイクロ波炊飯器。
【請求項６】
前記インナーポット（２０）の直径は前記円筒状板より少なくとも１５ｍｍ小さいことを特徴とする、請求項５に記載のマイクロ波炊飯器。
【請求項７】
マイクロ波炊飯器は、さらに周方向ケーシング（１７）と、ペデスタル（１８）とを含み、
前記チャンバ構造は前記ペデスタル（１８）に設置され、前記周方向ケーシング（１７）は前記チャンバ（２）を囲んで設けられ、前記周方向ケーシングの頂部は、前記トップキャップ（１）に接合され、且つ底部が前記ペデスタル（１８）に接合されていることを特徴とする、請求項１に記載のマイクロ波炊飯器。
【請求項８】
前記ペデスタル（１８）に、さらにインバータ（２１）とラジエータファン（１９）が設けられ、前記インバータ（２１）は、前記マイクロ波送信機構のマグネトロン（１１）と電気的に接続され、当該マグネトロン（１１）の供給電圧を調節するようにし、
前記ラジエータファン（１９）は、前記インバータと前記マイクロ波送信機構に対して放熱を行うことに用いられることを特徴とする、請求項７に記載のマイクロ波炊飯器。
【請求項９】
特徴Ａ:前記切り口は三角形の切り口であって、該切り口の三角形の底辺は前記弦Ａ（４１）と平行で、三角形の頂点(Ｏ’)と前記円心（Ｏ）との間の接続線は、前記弦Ａ（４１）と弦Ｂ（４３）に直交し、前記三角形の切り口の二つの側辺は、前記横開き穴（４５）を形成するように、前記上弧弦面（４４）から前記マイクロ波撹拌板（４）の頂面まで下向きに切削する切削エージとし、
特徴Ｂ:前記反射フランジ（４９）は、前記円心（Ｏ）に近い長辺の遠端から前記長辺の中央部に延伸され、
特徴Ｃ:前記第一長方形穴(４７)と第二長方形穴(４８)との間に直角の角度が配置され、前記第一長方形穴(４７)と第二長方形穴(４８)とは、それぞれ自体の長さ方向での中間
線の延長線に沿って交差でき、かつ交差点、前記円心(Ｏ)及び前記三角形の頂点(Ｏ’)は、同一線上にあり、
特徴Ｄ:前記傾斜反射平面(４２)は、前記頂面との間の角度が１４５°〜１５０°とし、前記傾斜反射平面（４２）の高さは、前記反射フランジ（４９）の高さより小さくない、
特徴Ｅ:前記弦Ａ（４１）と前記円心(Ｏ)との間の距離は０.３Ｄより小さくなく、Ｄは前記マイクロ波撹拌板（４）の直径とし、
以上の特徴Ａ乃至特徴Ｅ中の少なくとも一つ又は全てを含むことを特徴とする、請求項１に記載のマイクロ波炊飯器。
【請求項１０】
前記撹拌アセンブリは、円筒スリーブと、前記円筒スリーブの外周部の円周方向に沿って間隔を有して配置され、かつ外側に延出した複数の係爪（８１）を備える撹拌ステント（８）を含み、前記マイクロ波撹拌板（４）には、中心の取付穴と、当該中心の取付穴の周りに配置される複数のカードスロット（４６）が設けられ、前記撹拌ステント（８）の円筒スリーブは前記中心の取付穴に挿し入れられ、前記複数の係爪（８１）は、それぞれ対応の前記カードスロット（４６）にはめ込まれ、前記円筒スリーブの底部に方形内孔が形成され、前記撹拌モータ（７）は、前記方形内孔に嵌め込まれる方形出力軸（７１）を含むことを特徴とする、請求項１に記載のマイクロ波炊飯器。
【請求項１１】
チャンバ構造、ドア・アセンブリ及びマイクロ波を透過できるインナーポット（２０）を備えるマイクロ波炊飯器であって、
前記チャンバ構造は、マイクロ波送信機構、内部に調理室が設けられたチャンバ（２）と、調理室の両端部にそれぞれ位置するトップキャップ（１）及びボトムキャップ（５）とを含み、当該ボトムキャップ（５）は底部から前記調理室を覆い、前記トップキャップ（１）に前記調理室の頂部開口が形成され、
前記インナーポット（２０）を、前記頂部開口から前記調理室に装入し、或いは調理室から取り出すことができ、
頂部から前記調理室を開いたり閉じたりするように、前記ドア・アセンブリは開閉自在に前記トップキャップ（１）に取り付けられ、
前記マイクロ波送信機構は、底部からマイクロ波を調理室に供給するように前記ボトムキャップの底部に取り付けられ、
前記マイクロ波送信機構は、横方向部分と、該横方向部分の端部から下向きに延伸する下延長部とを有する導波モジュール（６）と、前記下延長部に配置されているマグネトロン（１１）とを備え、当該マグネトロン（１１）は、マイクロ波入口（１２）を通過して前記導波モジュール（６）内のマイクロ波伝送キャビティ（６３）にマイクロ波を供給し、前記横方向部分にはマイクロ波出口（１０）が設けられ、
前記ボトムキャップ（５）の底部にはマイクロ波供給口（９）が設けられ、マイクロ波を前記調理室に供給するように、前記横方向部分は前記ボトムキャップ（５）の底部に接続されて前記マイクロ波出口（１０）を前記マイクロ波供給口（９）と対接させ、  前記導波モジュール（６）は、「Ｚ」形を示し且つ第一横方向ボトム板（６１１）、下延長板（６１２）及び第二横方向ボトム板（６１３）を順次に含むベースボトム板（６１）と、「Ｌ」形を示し且つ横方向カバー板（６２１）及び縦方向カバー板（６２２）を含むカバー板（６２）とを備え、前記ベースボトム板（６１）の外周縁部には、いずれもボトム板フランジ（６１４）が形成され、前記カバー板（６２）は前記ベースボトム板（６１）のボトム板フランジ（６１４）に封止して覆蓋され、前記ベースボトム板（６１）と前記カバー板（６２）との間にマイクロ波伝送キャビティ（６３）が形成されるようにし、前記横方向カバー板（６２１）は、第一横方向ボトム板（６１１）の上方に設けられ、前記横方向カバー板（６２１）と第一横方向ボトム板（６１１）との間に前記マイクロ波伝送キャビティ（６３）の横方向チャンバを形成するようにし、前記縦方向カバー板（６２２）と前記下延長板（６１２）は水平に離間され、且つ前記縦方向カバー板（６２２）の底部は、下向きに延伸して第二横方向ボトム板（６１３）に接合され、前記下延長板（６１２）と第二横方向ボトム板（６１３）と縦方向カバー板（６２２）との間に前記マイクロ波伝送キャビティの縦方向チャンバを形成するようにし、前記マイクロ波出口（１０）は前記横方向カバー板（６２１）に、前記マイクロ波入口（１２）は前記縦方向カバー板（６２２）に設けられ、
前記下延長板（６１２）の内側の壁面に、前記マイクロ波入口（１２）の位置と対向する球面溝（１６）がさらに形成され、該球面溝（１６）の外側の壁面は外へ突起し、前記マグネトロン（１１）のアンテナ・ヘッドを離間するようにすることを特徴とするマイクロ波炊飯器。
【請求項１２】
特徴１：前記下延長板（６１２）及び前記縦方向カバー板（６２２）は、互いに平行で且ついずれも縦に下向きに延伸され、
特徴２：前記ベースボトム板（６１）は折り曲げ成型かつフランジのシングル板であり、前記導波モジュール（６）は、さらに、側方から前記マイクロ波伝送キャビティ（６３）を封止するためのアングル材（１３）を備え、当該アングル材（１３）は、前記マイクロ波伝送キャビティ（６３）の横方向チャンバと縦方向チャンバとのコーナー・コネクションの側面の前記ボトム板フランジ（６１４）に装着され、
特徴３：前記ボトム板フランジ（６１４）に溶接接続板（１４）が設けられ、前記カバー板（６２）は前記溶接接続板（１４）に溶接され、
特徴４：前記第一横方向ボトム板（６１１）の前記下延長板（６１２）に近い端部に、貫通する多くのフランジ穴（１５）が設けられ、該フランジ穴（１５）は下向きの円周方向フランジを有し、当該円周方向フランジの下向きのフランジ高さが２ｍｍより小さくない、
特徴５：前記ボトムキャップ（５）は円盤状をなし、該ボトムキャップ（５）の径方向において前記導波モジュール（６）の外端部は、前記ボトムキャップ（５）の外周縁内側に位置され、
特徴６：前記縦方向カバー板（６２２）の縦の長さは、前記マグネトロン（１１）の縦の長さの１.５倍より大きくない、
特徴７：前記マイクロ波伝送キャビティ（６３）の横方向チャンバと縦方向チャンバとの体積比は、２より小さくない、
以上の特徴１乃至特徴７中の少なくとも一つ又は全てを含むことを特徴とする、請求項１１に記載のマイクロ波炊飯器。
【発明の詳細な説明】
【技術分野】
【０００１】
本発明は、家電製品分野に属し、具体的に、マイクロ波により加熱する製品に関する。
【背景技術】
【０００２】
日常生活においてよく見かける電子レンジは、マイクロ波を利用して食品を加熱する現代的な調理器具であって、そのパワー範囲は５００〜１０００ワット程度であって、図１に示すように、一般には、電源、マグネトロン１１、制御回路と調理室などの部分から構成される。電源は約４０００ボルトの高圧をマグネトロン１１へ提供し、マグネトロン１１は電源の励起によって連続的にマイクロ波を発生し、また、導波モジュール６を経て調理室内にカップリングされる。調理室の入口付近に、回転可能な撹拌具が設けられて、撹拌具はファン状の金属片であって回転し始めた後にマイクロ波に対して各方向の反射があるため、マイクロ波のエネルギーを調理室の内部に均一に分布でき、食べ物を加熱する。
【０００３】
図１と図２に示したように、現在、市販の電子レンジは、外観がいずれも直方体であって、直方体の調理室を有し、内部空間が比較的に大きく、構造配置空間も比較的に余裕がある。しかし、この伝統的な直方体の電子レンジでは、構造のレイアウトが悪く、部品の構造設計が不合理であって、マイクロ波分布の均一性が悪いことで、加熱の効率が低く、速度が遅いかつ加熱が均一ではない、使用者にいろんな良くない調理体験をもたらすことは、ずっとレンジ業界全体を困らせていた。伝統的な電子レンジは炊飯器の機能を実現するためなら、炊飯、煮込みスープ、おかゆなどの炊飯器の機能を実現するためのマイクロ波付属品をいろいろ追加する必要があり、追加する付属品の種類が多くて構造が繁雑になり、占用する空間が大きくなる。
【０００４】
図２に示す直方体の電子レンジを例にし、マイクロ波は導波モジュール６を通して調理室の内部に供給され、ドア本体２７は電子レンジの前面に位置し、ドアを開ける方法としては、主に横開き扉または下開き扉である。調理室の体積が比較的大きいので、導波モジュール６の長さが比較的長くなり、マイクロ波は、導波モジュール６を通して側方に取り付けたマグネトロン１１からチャンバの底部に導入され、さらにマイクロ波チャンバに供給する場合、マイクロ波伝導の距離が遠く、マイクロ波の伝送損失が大きくなった。具体的には、マグネトロン１１により生じたマイクロ波は、導波管内に伝送されている時に、伝導距離が遠ければ、マイクロ波集中を容易に形成し、導波管内のマイクロ波伝送キャビティにおけるマイクロ波の分布が不均一になり、マイクロ波の伝送過程において、マイクロ波が複数の箇所で収束着火を起こし易く、導波管のパイプ表面の局部温度が上昇し、マイクロ波のエネルギーを大量に損失し、導波モジュール６の出力効率の安定性が悪くなり、調理過程において加熱の均一性と最適な調理効果を確保することもできない。
【０００５】
また、既存の各種電子レンジでは、多種多様なマイクロ波撹拌具があり、その形状構造は、直方体の調理室に適応するように、様々な透かし彫りを有するチップ構造に設計されるが、マイクロ波が直方体の調理室において持続的かつ優良な分布効果を達成することはずっと困難であった。
【発明の概要】
【発明が解決しようとする課題】
【０００６】
社会の進歩と発展の多様化に伴い、顧客は、より多くの機能、より小さい体型や調理室を有し、かつより携帯しやすいマイクロ波新製品が潜在的に求められている。そのため、マイクロ波製品の構造配置及び部品に対して新しい設計を行う必要性がある。
【課題を解決するための手段】
【０００７】
従来技術における上記の不備や欠陥について、本発明は、体型やチャンバが比較的小さく、加熱の効率が高くて速度が速く、かつ加熱はより均一になり、一つで電子レンジと炊飯器との二つの機能を実現し得るマイクロ波炊飯器を提供している。
【０００８】
上記目的を実現するために、本発明はチャンバ構造、ドア・アセンブリ及びマイクロ波を透過できるインナーポットを備えるマイクロ波炊飯器を提供している。前記チャンバ構造は、マイクロ波送信機構、内部に調理室が設けられているチャンバと、調理室の両端部にそれぞれ位置するトップキャップ及びボトムキャップとを含み、当該ボトムキャップは底部から前記調理室を覆い、前記トップキャップに前記調理室の頂部開口が形成され、前記インナーポットを、前記頂部開口から前記調理室に装入し、或いは調理室から取り出すことができる。そして、前記頂部から前記調理室を開いたり閉じたりするように、前記ドア・アセンブリは開閉自在に前記トップキャップに取り付けられ、前記マイクロ波送信機構は、当該底部からマイクロ波を調理室に供給するように前記ボトムキャップの底部に取り付けられる。
【０００９】
好ましくは、前記ボトムキャップは円盤状をなし、前記ボトムキャップの内側には、下に向いて凹んでいるプレス金型空間が形成され、前記プレス金型空間内に円周階段部が設けられ、前記円周階段部にマイクロ波透過可能なシェルフが設けられ、前記調理室内に嵌め込まれる前記インナーポットは前記シェルフによって受圧される。
【００１０】
好ましくは、前記ドア・アセンブリの第一端部は、ヒンジ機構を介して前記トップキャップの第一端部にヒンジ結合され、前記トップキャップの第二端部にインターロック機構が設けられ、且つ、コントロールパネルモジュールが装着され、前記ドア・アセンブリの第二端部にはドアフックが設けられ、前記ドア・アセンブリは、前記ヒンジ機構のまわりを回転できることにより、前記調理室を閉じたクローズ状態または前記調理室を開いたオープン状態にされる。
【００１１】
そして、前記クローズ状態において、前記ドア・アセンブリは、前記トップキャップの頂面を覆い、前記ドアフックと前記インターロック機構をロックし、コントロールパネルモジュールにはドア本体を閉鎖する信号を送信し、当該コントロールパネルモジュールは、前記ドア本体を閉鎖する信号を受信し、且つ活動化状態に触発され、前記オープン状態において、前記インターロック機構がドア本体を開く信号を送信し、前記コントロールパネルモジュールは、前記ドア本体を開く信号により非活動化状態に切り替える。
【００１２】
好ましくは、前記ヒンジ機構は、前記トップキャップの第一端部に設けられるピボット軸と、トーションスプリングとを備え、前記ドア・アセンブリは、前記ピボット軸のまわりを回転することができ、前記トーションスプリングは、前記ピボット軸にセットされ、且つ当該トーションスプリングの両端がそれぞれ前記ドア・アセンブリと前記トップキャップに弾性バイアスされる。
【００１３】
好ましくは、前記ドア・アセンブリは、外から内まで、順次に接合されるドア表面、ドア本体、ドアシールを含み、ドア表面とドア本体には、マイクロ波の透過を防止するための前記調理室の閉鎖に用いられるメタルシートを含む。前記ドアフックはドア本体から下向きに延伸している。前記ドア・アセンブリの前記クローズ状態において、前記ドアシールは、前記調理室を封止するように、前記ドア本体と前記トップキャップの間に敷設される。
【００１４】
好ましくは、前記チャンバは、マイクロ波透過を防止する金属製の円筒状板を備え、当該円筒状板の内筒室に前記調理室が形成され、前記円筒状板の頂部周縁は前記トップキャップに接続され、前記円筒状板の底部周縁は前記ボトムキャップの内側壁に封止して接続され、前記トップキャップとボトムキャップはいずれもマイクロ波透過を防止する金属カバーである。
【００１５】
好ましくは、前記インナーポットの直径は前記円筒状板より少なくとも１５ｍｍ小さい。
【００１６】
好ましくは、前記マイクロ波炊飯器は、さらに周方向ケーシングと、ペデスタルを備え、前記チャンバ構造は前記ペデスタルに設置され、前記周方向ケーシングは前記チャンバを囲んで設けられ、前記周方向ケーシングの頂部は、前記トップキャップに接合され、且つ底部が前記ペデスタルに接合されている。
【００１７】
好ましくは、前記ペデスタルに、さらにインバータとラジエータファンが設けられ、前記ラジエータファンはインバータとマイクロ波送信機構に対して放熱を行うことに用いられ、前記インバータは前記マイクロ波送信機構のマグネトロンと電気的に接続され、当該マグネトロンの供給電圧を調節するようにする。
【００１８】
好ましくは、前記マイクロ波送信機構は、横方向部分と、該横方向部分の端部から下向きに延伸する下延長部とを有する導波モジュールと、前記下延長部に配置されているマグネトロンとを備え、当該マグネトロンは、マイクロ波入口を通過して前記導波モジュール内のマイクロ波伝送キャビティにマイクロ波を供給し、前記横方向部分にはマイクロ波出口が設けられ、前記ボトムキャップの底部にはマイクロ波の供給口が設けられ、マイクロ波を前記調理室に供給するように、前記横方向部分は前記ボトムキャップの底部に接続されて前記マイクロ波出口を前記マイクロ波の供給口と対接させる。
【００１９】
好ましくは、前記導波モジュールは、「Ｚ」形を示し且つ第一横方向ボトム板、下延長板及び第二横方向ボトム板を順次に含むベースボトム板と、「Ｌ」形を示し且つ横方向カバー板及び縦方向カバー板を含むカバー板とを備え、前記ベースボトム板の外周縁部にいずれもボトム板フランジが形成され、前記カバー板は前記ベースボトム板のボトム板フランジに封止して覆蓋され、前記ベースボトム板と前記カバー板との間にマイクロ波伝送キャビティが形成されるようにする。
【００２０】
そして、前記横方向カバー板は、前記第一横方向ボトム板の上方に設けられ、前記横方向カバー板と第一横方向ボトム板の間に前記マイクロ波伝送キャビティの横方向チャンバを形成し、前記縦方向カバー板と前記下延長板は水平に離間され、且つ前記縦方向カバー板の底部は、下向きに延伸して第二横方向ボトム板に接合され、前記下延長板と第二横方向ボトム板と縦方向カバー板との間に前記マイクロ波伝送キャビティの縦方向チャンバを形成するようにする。前記マイクロ波出口は前記横方向カバー板に、前記マイクロ波入口は前記縦方向カバー板に設けられている。
【００２１】
好ましくは、当該マイクロ波炊飯器は、さらに、以下の特徴１乃至特徴８中の少なくとも一つ又は全てを含む。
【００２２】
特徴１：前記下延長板及び前記縦方向カバー板は、互いに平行で且ついずれも縦に下向きに延伸されている。
【００２３】
特徴２：前記ベースボトム板は折り曲げ成型かつフランジのシングル板であり、前記導波モジュールは、さらに、側方から前記マイクロ波伝送キャビティを封止するためのアングル材を備え、当該アングル材は、前記マイクロ波伝送キャビティの横方向チャンバと縦方向チャンバとのコーナー・コネクションの側面のボトム板フランジに装着される。
【００２４】
特徴３：前記ボトム板フランジに溶接接続板が設けられ、前記カバー板は前記溶接接続板に溶接されている。
【００２５】
特徴４：前記第一横方向ボトム板の前記下延長板に近い端部に、貫通する多くのフランジ穴が設けられ、該フランジ穴は下向きの円周方向フランジを有し、当該円周方向フランジの下向きのフランジ高さが２ｍｍより小さくない。
【００２６】
特徴５：前記下延長板の内側の壁面に、前記マイクロ入口の位置と対向する球面溝がさらに形成され、該球面溝の外側の壁面は外へ突起し、前記マグネトロンのアンテナ・ヘッドを離間するようにする。
【００２７】
特徴６：前記ボトムキャップは円盤状をなし、該ボトムキャップの径方向において前記導波モジュールの外端部は、前記ボトムキャップの外周縁内側に位置されている。
【００２８】
特徴７：前記縦方向カバー板の縦の長さは、前記マグネトロンの縦の長さの１.５倍より大きくない。
【００２９】
特徴８：前記マイクロ波伝送キャビティの横方向チャンバと縦方向チャンバとの体積比は、２より小さくない。
【００３０】
好ましくは、当該マイクロ波炊飯器は更に撹拌アセンブリを含み、当該撹拌アセンブリは、円盤形の形状をなし、かつ前記調理室底部に設置されたシェルフと前記ボトムキャップの間に設けられているマイクロ波撹拌板と、前記ボトムキャップの下方に設けられ、かつモータ出力軸が前記ボトムキャップを通して前記マイクロ波撹拌板に接続する撹拌モータとを含み、前記マイクロ波撹拌板は、前記撹拌モータにより駆動され回転し、前記調理室に入射したマイクロ波を撹拌できるようにする。
【００３１】
好ましくは、前記マイクロ波撹拌板の頂面に弦Ａに沿って上向き折り返しの弧弦部が形成され、該弧弦部は、前記上弧弦面の弦Ｂから斜め下方向かつ内側に向けて前記頂面の弦Ａに延伸する傾斜反射平面と、上弧弦面とを含む。前記弧弦部には切り口が設けられ、当該切り口は前記傾斜反射平面の中央部分が切除されて当該中央部分に横開き穴が形成される。
【００３２】
前記マイクロ波撹拌板の円心の片側には、前記弧弦部が形成され、別の側には、縦に貫通する第一長方形穴と第二長方形穴が設けられている。前記第一長方形穴及び第二長方形穴のそれぞれの近端は、相互に接近しかつ夾角をなすように配置され、前記第一長方形穴の遠端は、前記弦Ａの一方の端部に向けて延伸され、前記第二長方形穴の遠端は、前記弦Ａの他方の端部に向けて延伸されている。そして、前記第一長方形穴及び第二長方形穴の前記円心に近い長い辺に、共に上向き折り返しの反射フランジが形成されている。
【００３３】
好ましくは、前記マイクロ波炊飯器は、また、以下の特徴Ａ乃至特徴Ｅ中の少なくとも一つ又は全てを含んでいる。
【００３４】
特徴Ａ:前記切り口は三角形の切り口であって、該切り口の三角形の底辺は前記弦Ａと平行で、三角形の頂点と前記円心との間の接続線は、前記弦Ａと弦Ｂに直交し、三角形の切り口の二つの側辺は、前記横開き穴を形成するように、前記上弧弦面から前記マイクロ波撹拌板の頂面まで下向きに切削する切削エージとする。
【００３５】
特徴Ｂ:前記反射フランジは、前記円心に近い前記長辺の遠端から前記長辺の中央部に延伸されている。
【００３６】
特徴Ｃ:前記第一長方形穴と第二長方形穴との間に直角の角度が配置され、前記第一長方形穴と第二長方形穴とは、それぞれ自体の長さ方向での中間線の延長線に沿って交差でき、かつ交差点、前記円心及び前記三角形の頂点は、同一線上にある。
【００３７】
特徴Ｄ:前記傾斜反射平面は、前記頂面との間の角度が１４５°〜１５０°とし、前記傾斜反射平面の高さは、前記反射フランジの高さより小さくない。
【００３８】
特徴Ｅ:前記弦Ａと前記円心との間の距離は０.３Ｄより小さくなく、Ｄは前記マイクロ撹拌板の直径とする。
【００３９】
好ましくは、前記撹拌アセンブリは、円筒スリーブと、前記円筒スリーブの円周方向に沿って間隔を有して配置され、かつ外側に延出した複数の係爪を備える撹拌ステントを含み、前記マイクロ波撹拌板には、中心の取付穴と、当該中心の取付穴の周りに配置される複数のカードスロットが設けられ、撹拌ステントの円筒スリーブは前記中心の取付穴に挿し入れられ、複数の係爪は、それぞれ対応の前記カードスロットにはめ込まれる。
【００４０】
そして、前記円筒スリーブの底部には、方形内孔が形成され、前記撹拌モータは、方形内孔に嵌め込まれる前記方形出力軸を含む。
【００４１】
上記の技術案により、本発明のマイクロ波炊飯器は、電子レンジと炊飯器の長所とを組合せ、炊飯器の調理室及び頂部のドア・アセンブリ、並びに電子レンジのマイクロ波加熱の原理及びマイクロ波整合技術を採用し、調理室にマイクロ波透過可能なインナーポットを配置でき、マイクロ波を通してインナーポットに配置される食材を均一に加熱することにより炊飯、煮込みスープ、おかゆなどを実現でき、調理室の底部に加熱待ちの物品を置くためのシェルフを設置し、マイクロ波を通して電子レンジの加熱機能を実現できる。そして、チャンバの体積が小さく、側壁が円弧形をなし、伝統的な導波モジュールは側面に装着できないので、マイクロ波送信機構は、マイクロ波炊飯器の底部に取り付けられ、さらに、導波モジュールの構成及びそのマイクロ波伝送キャビティなどに対して最適化設計を行い、導波モジュールの寸法を小さく、構造をコンパクトとし、マイクロ波伝送の距離が短く、マイクロ波伝送腔のデザインをさらに合理させ、マイクロ波エネルギーの効率よく伝送及びアセンブリのチャンバにおいて優良のマイクロ波の整合を実現することができる。また、相応的にマイクロ波撹拌板を円盤形の形状に設計し、かつボトムキャップとシェルフとの間に空間を設け、マイクロ波を十分に撹拌するようにし、撹拌モータ、導波モジュールなどはボトムキャップの下方に設けられ、全体の構造配置がコンパクトで合理的であって、通常の直方体電子レンジに比べて、その体形やチャンバが小さく、外観がきれいで、携帯性に優れる。さらに、調理室の特徴について、マイクロ波撹拌板に特別な設計を行い、長方形の穴を開設してマイクロ波を縦方向に通過することに用い、撹拌板に弧弦部を形成し、弧弦部に切り口を通過して開き穴を形成し、マイクロ波を横方向に通過することに用い、弧弦部上の折り返しの傾斜反射平面及び長方形穴上の反射フランジは、いずれもマイクロ波を反射することに用いられる。それによって調理室に入射のマイクロ波の均一分散性をより良くし、シェルフに置かれる食べ物に対する加熱をより均一にすると共に、マイクロ波の加熱効率も向上した。
【００４２】
本発明の他の特徴と長所について、以下、具体的な実施形態において詳細に説明する。
【図面の簡単な説明】
【００４３】
図面は、本発明に対するさらなる理解を提供し、明細書の一部を構成するものであって、以下の具体的実施様態と共に、本発明について説明するが、本発明に対する制限ではない。
【図１】現有技術における電子レンジの概略図であって、内部構造を明らかにするために、電子レンジの外部ハウジングの一部を省略した。
【図２】は、図１と似ているが、側方に向いて取り付けるマグネトロン及び導波モジュールを更に明らかに示す。
【図３】本発明の好適な実施形態によるマイクロ波炊飯器の概略図であって、同様に内部構造を明らかにするために、マイクロ波炊飯器の周方向ケーシングを省略した。
【図４】図３に示したマイクロ波炊飯器の組立図。
【図５】図３に示したマイクロ波炊飯器中のドア・アセンブリを示す概略図。
【図６】本発明の好適な実施形態によるマイクロ波炊飯器のチャンバ構造を示す概略図。
【図７】図３に示したマイクロ波炊飯器の調理室に配置しておくためのインナーポット。
【図８】図６に示したマイクロ波炊飯器のチャンバ構造を示す分解図。
【図９】本発明の好適な実施形態によるマイクロ波炊飯器に適している導波モジュール構造を示す概略図。
【図１０】図９に示した導波モジュールの分解図。
【図１１】図９に示した導波モジュールのベースボトム板の斜視図。
【図１２】図９に示した導波モジュールのカバー板の斜視図。
【図１３】本発明の好適な実施形態によるマイクロ波撹拌板の立体構造を示す概略図。
【図１４】図１３に示したマイクロ波撹拌板と撹拌モータとの組み立て後の半断面図。
【図１５】図１３に示したマイクロ波撹拌板の構造を示す概略図であって、該撹拌板における各部分の寸法及び位置関係が具体的に表示されている。
【図１６】図１３に示したマイクロ波撹拌板の構造を示す概略図であって、該撹拌板における各部分の寸法及び位置関係が具体的に表示されている。
【図１７】図１３に示したマイクロ波撹拌板の構造を示す概略図であって、該撹拌板における各部分の寸法及び位置関係が具体的に表示されている。
【発明を実施するための形態】
【００４４】
以下は、本発明の具体的な実施形態について、図面に合わせて詳細に説明する。理解すべきなのは、ここに記載の具体的な実施形態は、本発明への説明や解釈のみに用いられ、本発明への制限に用いられるものではない。
【００４５】
本発明において、反対に説明しない限り、使用する「上、下、頂、底、縦方向」などの方位語は、通常、図面に示す方向、或いは縦、垂直又は重力の方向に基づいて各部品の相互位置関係を記述する用語である。「横方向」は通常、図面に対して、紙面の左右方向に沿ったものである。「内、外」は通常、例えばチャンバに対するチャンバの内外、或いは円心に対する半径方向の内外を指す。
【００４６】
図３〜図８に示したように、本発明では、チャンバ構造、ドア・アセンブリ及びマイクロ波を透過できるインナーポット２０（通常は非金属材質であって、しかしそれに限らず）を備えるマイクロ波炊飯器を提供している。前記チャンバ構造は、マイクロ波送信機構と、内部に調理室（通常は円筒形であって、しかしそれに限らず）が設けられたチャンバ２と、調理室の両端部にそれぞれ位置するトップキャップ１及びボトムキャップ５とを含み、当該ボトムキャップ５が底部から前記調理室を覆い、前記トップキャップ１に前記調理室の頂部開口が形成され、前記インナーポット２０は、前記頂部開口から前記調理室に入れ、或いは取り出すことができる。そして、前記頂部から前記調理室を開いたり閉じたりできるように、前記ドア・アセンブリは開閉自在に前記トップキャップ１に取り付けられ、当該底部からマイクロ波を調理室に供給するように、前記マイクロ波送信機構は前記ボトムキャップ５の底部に取り付けられる。
【００４７】
本発明のマイクロ波炊飯器は、電子レンジと炊飯器の機能を同時に果たしているが、現在の市場においては、このような円筒形（または円柱形）マイクロ波チャンバを有するマイクロ波加熱製品はない。マイクロ波炊飯器は、炊飯器の頂部ドア・アセンブリ構造を備え、内部に調理室とインナーポット２０が搭載され、加熱待ちの食べ物を入れることに便利で、炊飯器に対する習慣的な操作に適合し、円筒形調理室もマイクロ波加熱に有利で、マイクロ波の分布が更に均一になることに有利で、加熱効率がより高く、加熱がより速くてより均一になる。また、底部からマイクロ波を供給するマイクロ波送信機構を通じてマイクロ波での加熱を実現し、マイクロ波加熱の原理及びマイクロ波整合技術を利用し、円筒形調理室に供給するマイクロ波は、インナーポット２０を透過し、インナーポットに放置される食材を直接に加熱でき、炊飯、煮込みスープ、おかゆなどの炊飯器の機能或いは通常の電子レンジの加熱機能を実現する。
【００４８】
当然に、調理室の底部にも、加熱待ち物を載せるためのシェルフ３を単独で設置してもよい、例えば、円盤形のセラミック板、プラスチック板、ガラス板などが挙げられ、このようなマイクロ波による加熱で電子レンジの加熱機能を実現できる。シェルフ３とインナーポット２０は、いずれも、通常のセラミック、プラスチック、ガラスなどのマイクロ波が透過可能且つそれに対して加熱しない材料を採用できる。具体的には、本実施形態において円筒形調理室が採用され、ボトムキャップ５も円盤状が相応的に設計され、図８に示したように、調理室に対向するボトムキャップ５の内側に、また、下向きに凹ませたプレス金型空間が形成され、該プレス金型空間に一つ又は複数の円周階段部が設けられ、前記円周階段部に上記シェルフ３が放置してもよく、シェルフ３を安定的に支えることができ、シェルフ３の取り出しにも便利である。より好ましくは、調理室内に嵌め込まれるインナーポット２０は前記シェルフ３上によって受圧させ、確実に置かれるようにする。もちろん、インナーポットも他の方式を通じて固定されてもよいことを思い付くことができる。例えばインナーポット２０の頂端エッジは下に折り曲げ、チャンバ２において相応的に設計される環状カードスロットに係止することができる。
【００４９】
図２を参照し、一つの例示として、チャンバ２は、マイクロ波透過を防止可能な金属円筒状板を備えることができ、該円筒状板の内筒室は調理室を形成され、円筒状板は、好ましくは亜鉛板、錫めっき板、またはステンレス板である。円筒状板の頂部周縁は溶接または嵌め込み等により、トップキャップ１に接続することができ、円筒状板の底部周縁はボトムキャップ５の内側壁に封止して接続する。トップキャップ１、円筒状板及びボトムキャップ５はいずれもマイクロ波透過防止の金属カバーであって、調理室内のマイクロ波を外に放射できないようにする。図に示した本実施方式において、円筒形チャンバの内径は２３０ｍｍ〜２６０ｍｍ、円筒形チャンバの高さは１０５ｍｍ〜１３５ｍｍとする。そのなか、好ましくは、図７に示したインナーポット２０の直径は円筒状板の直径より小さく、例えば、少なくとも１５ｍｍより小さく、例えば２０ｍｍ、３０ｍｍなどが挙げられた。このようにして調理室の中に装入でき或いは中から取り出すことに有利になるのみかかわらず、両者の間に環状の隙間があり、調理室中のマイクロ波が円筒状板の内壁において繰り返す屈折、反射が有利になり、インナーポット２０に対する均一の加熱を実現する。
【００５０】
図４を参照して本実施形態において、ドア・アセンブリの第一端部（図中の右側）はヒンジ機構２２によりトップキャップ１の第一端部（図中の右側）にヒンジ結合され、トップキャップ１の第二端部（図中の左側）にインターロック機構２３が設けられおり、しかも、箱形のコントロールパネルモジュール２４が装着され、トップキャップ１は図中の横方向に沿って略延伸するように設計され、前記ドア・アセンブリの第二端部にドアフック２５が設けられ、前記ドア・アセンブリは、前記ヒンジ機構２２のまわりを回転できることにより、前記調理室を閉じたクローズ状態または調理室を開いたオープン状態にある。そして、前記クローズ状態において、前記ドア・アセンブリは、前記トップキャップの頂面を覆い、前記ドアフック２５は、図５に示したドアシール２８に開設された相応の貫通穴を通過し、さらに、前記インターロック機構２３を係止し、コントロールパネルモジュール２４にドア本体を閉鎖する信号を送信し、該コントロールパネルモジュール２４は、前記ドア本体を閉鎖する信号を受信し、且つ活動化状態に触発されている。前記オープン状態において、前記インターロック機構２３がドア本体を開く信号を送信し、前記コントロールパネルモジュール２４は、前記ドア本体を開く信号によって非活動化状態に切り替える。このように例示したインターロック設計により、ドア・アセンブリが完全且つ確実に閉鎖され、マイクロ波が調理室内に限られて外へ放射できない時のみに、マイクロ波炊飯器を起動できてマイクロ波で加熱することを確保できる。
【００５１】
さらに、前記ヒンジ機構２２は、前記トップキャップ１の第一端部に設けられるピボット軸２２１と、トーションスプリング２２２とを備え、前記ドア・アセンブリは、前記ピボット軸２２１のまわりを枢転することができ、前記トーションスプリング２２２は、前記ピボット軸２２１にセットされ、且つ該トーションスプリング２２２の両端がそれぞれ前記ドア・アセンブリと前記トップキャップ１に弾性バイアスされる。このようにして、前記ドア・アセンブリは弾性のある開きを実現することができ、操作が便利になる。もちろん理解できるのは、ドア・アセンブリとトップキャップ１との間のヒンジ結合方式と構造は本実施形態に限らず、ここでのインターロック機構２３も当業者で周知されているものなので、いちいち贅言を要しない。操作の際に、ドア・アセンブリを所定の位置まで閉じている場合には、ドアフック２５は自然にインターロック機構２３に挿入し、ロックを実現する。インターロック機構２３は、一般的に押さえ可能なロックボタンが付き、当該解除ボタンを押すことで、ドア・アセンブリが自動的に弾開することができる。
【００５２】
図５に示したように、本実施形態におけるドア・アセンブリは、外から内まで、順次に接合されるドア表面２６、ドア本体２７とドアシール２８を備え、前記ドア表面２６とドア本体２７には、マイクロ波の透過を防止するための前記調理室の閉鎖に用いられるメタルシートを含む。前記ドアフック２５はドア本体２７から下向きに延伸し、前記ドア・アセンブリのクローズ状態において、前記ドアシール２８は、前記調理室を封止するよう、前記ドア本体２７と前記トップキャップ１の間に敷設される。そして、ドア本体２７は、好ましくは金属構造部材であって、構造を支持する作用とマイクロ波の外側への透過防止を機能し、ドア表面２６は外観に飾る作用があって、ドア表面２６に排気孔などを設置すべく、炊飯器として利用する時に蒸気が排出し易いようにする。この時、チャンバの気圧を保持し、水蒸気をドア本体２７に入ることを防止し、しかも外界衝撃などを緩衝するために、ドア本体２７とドアシール２８との間にシールリング２９（例えば、パッキン）などを配置しても良い。
【００５３】
チャンバ頂部のドア・アセンブリ以外、前記マイクロ波炊飯器は周方向ケーシング１７とペデスタル１８を備え、前記チャンバ構造の底部はペデスタル１８に取り付けられ、該チャンバ構造を周向に固定してサポートするよう、周方向ケーシング１７はチャンバ２を囲んで設けられる。周方向ケーシング１７の頂部はバックルやビス等でトップキャップ１に係止されることができ、かつ、その底部は類似の方式でペデスタル１８に接合され、前記チャンバ２が設置される前記周方向ケーシングの頂部が前記トップキャップに、且つ下部が台座にジョイントされている。外観において、図３に示したような炊飯器の形を構成している。また、前記マイクロ波送信機構などがチャンバの底部に設けられ、前記マイクロ波送信機構のマグネトロン１１と、それに接続され、当該マグネトロン１１の供給電圧を調節するインバータ２１とは、いずれも発熱ユニットであって、発熱量が集中しているため、ペデスタル１８に一つ又は複数のラジエータファン１９を相応に配置し、強制的に対流冷却を実現しても良い。
【００５４】
以上、マイクロ波炊飯器の基本的な機能と外観構造を説明した。次に、マイクロ波に対する十分な撹拌・利用及び均一且つ高効率の加熱を実現するように、本実施形態に適した円筒形の調理室のために特別に設計したマイクロ波送信機構およびマイクロ波撹拌アセンブリと、それを基に形成された図６に示した特別なチャンバ構造とをそれぞれに説明する。
【００５５】
本発明では、図２に示した側面から底部までを曲がっている伝統的な長尺状の導波モジュールは、本発明の円筒形マイクロ波炊飯器に適用されることが難しく、円筒形チャンバの体積が小さく、側壁が円筒面とし、導波モジュールが円筒面において溶接する作業は困難であって、マグネトロンも円筒形チャンバ構造の側面に相応に装着される必要であることに加えて、マイクロ波炊飯器の半径方向のサイズがあまりにも大きくなる。また、前に述べたように、マイクロ波伝送キャビティが長すぎると、マイクロ波の伝送に前述の様々な問題をもたらす。
【００５６】
したがって、図６、図８〜図１２に示すように、本発明では、マイクロ波炊飯器に特化したマイクロ波送信機構を提供し、該マイクロ波送信機構は、導波モジュール６とマグネトロン１１とを備え、前記導波モジュール６は横方向部分と、その横方向部分の端部から下に向いて延伸する下延長部とを含み、下延長部にマグネトロン１１が設けられ、該マグネトロン１１はマイクロ波入口１２を通じて導波モジュール６内のマイクロ波伝送キャビティ６３にマイクロ波を入力する。前記横方向部分にマイクロ波出口１０が設けられ、前記ボトムキャップ５の底部にマイクロ波供給口９が設けられる。マイクロ波を前記調理室に供給するように、前記横方向部分は前記ボトムキャップ５の底部に接続され、前記マイクロ波出口１０を前記マイクロ波供給口９と対接させる。
【００５７】
本発明では、マグネトロン１１により生じるマイクロ波は、マイクロ波入口１２に挿入されるマグネトロンのアンテナヘッド（表示せず）を通じてマイクロ波伝送キャビティ６３に入力し、そのなかに振動整合し、さらに導波モジュール６の一端部（即ち横方向部分）からマイクロ波出口１０及びマイクロ波供給口９を通じてマイクロ波炊飯器の底部からマイクロ波を導入する。導波モジュール６の他方の端部は、上へ回ってチャンバの側壁に取り付けて固定することなく、下向きに順延して下延長部を形成し、ペデスタル１８に取り付けることになる。このように、溶接作業の難しさとマイクロ波炊飯器の寸法が大きすぎるという問題を解消し、マイクロ波伝送キャビティ６３の伝送経路は更に短くになる。そして、ボトムキャップ５が円盤状をなす場合、該ボトムキャップ５の半径方向において、導波モジュール６の外端部は、好ましくは前記ボトムキャップ５の外周縁部内に位置され、周方向ケーシング１７の半径方向の寸法を最小化する。
【００５８】
マイクロ波が伝送キャビティ６３内でより良い振動整合及び伝送効果を得て、且つ製造に有利にするために、本発明では、導波モジュール６に対して構造的最適化を行った。図１０〜図１２に示したように、前記導波モジュール６は、「Ｚ」形を示し且つ第一横方向ボトム板６１１、下延長板６１２及び第二横方向ボトム板６１３を順次に含むベースボトム板６１と、「Ｌ」形を示し且つ横方向カバー板６２１及び縦方向カバー板６２２を含むカバー板６２とを備える。前記ベースボトム板６１と前記カバー板６２との間にマイクロ波伝送キャビティ６３を形成するよう、前記ベースボトム板６１の外周縁部に、いずれもボトム板フランジ６１４が形成され、前記カバー板６２は前記ベースボトム板６１のボトム板フランジ６１４を封止してカバーされる。
【００５９】
そして、前記横方向カバー板６２１は、前記第一横方向ボトム板６１１の上方に設けられ、前記横方向カバー板６２１と第一横方向ボトム板６１１の間に前記マイクロ波伝送キャビティ６３の横方向チャンバを形成するように、前記縦方向カバー板６２２と前記下延長板６１２は水平に離間され、且つ前記縦方向カバー板６２２の底部は、下方へ延伸して第二横方向ボトム板６１３に接合され、前記下延長板６１２と第二横方向ボトム板６１３と縦方向カバー板６２２との間に前記マイクロ波伝送キャビティ６３の縦方向チャンバを形成するようにする。前記マイクロ波出口１０は前記横方向カバー板６２１上に、前記マイクロ波入口１２は前記縦方向カバー板６２２上に設けられる。もちろん、図６に示したマイクロ波炊飯器のチャンバ構造において、撹拌モータ７が設けられない場合、前記マイクロ波入口１２は前記縦方向カバー板６２２に設けられてもよく、即ち、マグネトロン１１は下延長板６１２の左側に取り付けられる。
【００６０】
したがって、構造組成において、この導波モジュール６は、二枚のシングル板により簡単に製造して得られることが好ましい。即ち、前記ベースボトム板６１は折り曲げる成型かつ周縁フランジのシングル板であって、言い換えれば、ボトム板フランジ６１４及び「Ｚ」形板は一体構造のシングル板であって、前記カバー板６２は、単に「Ｌ」の形まで簡単に折り曲げることだけを必要とし、素材を選ぶのが容易であって、加工が便利である。そして、美しく及びマイクロ波の反射と振動整合に有利のため、下延長板６１２と縦方向カバー板６２２は、互いに平行で且ついずれも下方へまっすぐに伸びていることが好ましい。図１０に示したように、シングル板のベースボトム板６１を折り曲げてフランジする時に、ボトム板フランジ６１４は、マイクロ波伝送キャビティ６３の横方向チャンバと縦方向チャンバとのコーナー・コネクション側に伸びやギャップが発生しやすい。したがって、導波モジュール６は、さらに、側面からマイクロ波伝送キャビティ６３を封止するための２つ或いはより多いアングル材１３を備え、該アングル材１３は、前記コーナー・コネクションに設けられ、マイクロ波を遮断してアセンブリ構造の強さを高めるようにする。
【００６１】
本発明の実施形態において、ベースボトム板６１とカバー板６２は互いに溶接され、ボトム板フランジ６１４は、周方向の全体において共に溶接接続板１４が設けられ、カバー板６２は溶接接続板１４に溶接されている。導波モジュール６の全体は横方向カバー板６２１によりボトムキャップ５上に溶接されるため、第一横方向ベースボトム板６１１の下延長板６１２に近い端部に、貫通する複数のフランジ穴１５を設けておる必要があり、サポートと溶接を容易にする。そのなか、該フランジ穴１５は下向きの周方向フランジを有し、該周方向フランジの下向きのフランジの高さが２ｍｍより小さくなく、マイクロ波伝送キャビティ６３内のマイクロ波をフランジ穴１５から外へ放射しないようにする。また、マグネトロンのアンテナ・ヘッドがマイクロ波伝送キャビティ６３の縦方向チャンバに挿入するのは、比較的に深く、下延長板６１２の内側壁に、前記マイクロ入口１２の位置と対向する球面溝１６がさらに形成され、該球面溝１６の外側壁は外へ突出し、前記マグネトロン１１のアンテナ・ヘッドを避けて間隔距離を増加させるようにする。
【００６２】
マイクロ波が伝送キャビティ６３内でよりよい振動整合し、縦方向チャンバと横方向チャンバとの間において比較的良い伝送効果を得て、かつマグネトロン１１の装着に便利になるために、マイクロ波伝送キャビティ６３の縦方向チャンバと横方向チャンバとの体積比は、２より小さくないことが好ましく、縦方向カバー板６２２の縦の長さは、マグネトロン１１の１.５倍より大きくないことが好ましい。
【００６３】
図示する実施形態では、カバー板６２において、マイクロ波出口１０が正方形の穴に設けられ、正方形の穴の長さは８０ｍｍ、幅は５０ｍｍ〜８０ｍｍ、マイクロ波は該正方形の穴から導出される。正方形の穴の中心から横方向カバー板６２１の右側までの距離は７０ｍｍ〜８０ｍｍであって、マイクロ波入口１２の口径とマグネトロンのアンテナ・ヘッドにマッチし、その中心から縦方向カバー板６２２の頂部までの高さは３８〜４２ｍｍである。ベースボトム板６１において、横方向長さの全体（横チャンバと縦チャンバの総横長さを含む）は１２０ｍｍ〜１３０ｍｍ、横チャンバ空間の高さは１５〜２０ｍｍ、縦チャンバ空間の高さは５８〜６５ｍｍ、縦チャンバの横方向長さ（即ち、下延長板６１２と縦方向カバー板６２２との横方向の間隔距離）は３２〜４６ｍｍであって、ベースボトム板６１の幅は、カバー板６２の幅に近くて８０ｍｍとする。フランジ穴１５は四つあり、口径は８ｍｍ〜１０ｍｍで、フランジ穴１５の下向きのフランジの高さが２ｍｍ〜３ｍｍである。マイクロ波が縦チャンバから横チャンバへ伝送に便利になるため、第一横方向ボトム板６１１と下延長板６１２との間にR面取り角が設けられ、Ｒ面取り角の半径は５〜１２ｍｍである。
【００６４】
マイクロ波は、導波モジュール６から円筒形マイクロ波キャビティに供給された後、更にマイクロ波の分布の均一性を増加する必要があり、均一且つ速く加熱するようにする。そのために、マイクロ波撹拌具を通じて十分な撹拌を行う必要がある。現有技術では、相応の円筒形マイクロ波キャビティがほぼ存在しないので、円筒形マイクロ波キャビティに整合する撹拌具や撹拌構造を発見し難しいことは当然である。この需要を満たすために、図８、図１３〜図１７を参照して、本発明は、マイクロ波撹拌板及び該マイクロ波撹拌板４を有するマイクロ波電気装置、例えば図示するマイクロ波炊飯器或いは他のものを提供する。
【００６５】
新しいコンセプト製品として、マイクロ波炊飯器の外形は優美であって、既存の直方体の電子レンジとまったく違い、円筒形の調理室は比較的小さくて円筒形をなし、これは伝統的なマイクロ波撹拌アセンブリに整合することができなく、その上多くのマイクロ波撹拌アセンブリの組み立て関係を構築して最適化する必要がある。上述したように、本発明の円筒形調理室の底部にシェルフ３が設けられてもよく、加熱待ちの食品を置くようにし、マイクロ波は円筒形の調理室の底部から入り、ボトムキャップ５とシェルフ３との間は、マイクロ波撹拌空間として保留してもよく、マイクロ波撹拌板４は、相応的に円盤状の形状に設計され、且つ該マイクロ波撹拌空間内に配置され、マイクロ波を十分に撹拌するようにする。
【００６６】
マイクロ波撹拌板４は一般的に金属板が採用され、マイクロ波撹拌板４を駆動する撹拌モータ７及びマイクロ波を発生又は伝送する他の導波モジュール等は、ボトムキャップ５の下方に設けられ、ペデスタル１８で支えることができる。そして、ボトムキャップ５は、マイクロ波撹拌板４を装着する時の構造支持を提供し、トップキャップ１、チャンバ２及びボトムキャップ５は、さらに、外部に対して調理室を封止し、マイクロ波漏れを防ぐように機能している。
【００６７】
マイクロ波撹拌板４の構造を表示する前に、まず、マイクロ波撹拌板４の装着と支持構造について説明する。図１３と図１４に示すように、当該マイクロ波炊飯器は撹拌ステント８を備え、当該撹拌ステント８は、円筒スリーブと、前記円筒スリーブの外周部の円周方向に沿って間隔を有して配置され且つ外側に延出した複数の係爪８１とを備え、前記マイクロ波撹拌板４に、中心の取付穴と、中心の取付穴の周りに配置される複数のカードスロット４６が設けられ、撹拌ステント８の円筒スリーブは前記中心の取付穴に挿し入れられ、複数の係爪８１は、それぞれ対応の前記カードスロット４６にはめ込まれる。そして、前記円筒スリーブの底部に方形内孔が形成され、前記撹拌モータ７は、方形内孔に嵌め込まれる前記方形出力軸７１を含んでいる。言い換えれば、撹拌ステント８は、クリップ方式によりマイクロ波撹拌板４に接合され、撹拌モータ７は、撹拌ステント８を通じて接続され、且つマイクロ波撹拌板４を駆動して回転し、撹拌作業を行うようにする。クリップ方式により、撹拌ステント８はマイクロ波撹拌板４にしっかりと接合されているのみならず、着脱するのに便利であり、撹拌ステント８と撹拌モータ７の間にある方形状の軸穴の配置は、同様に着脱するのに便利であり、円周方向にスリップし難く、駆動と回転が安定する。もちろん、図のみを例示し、当業者が周知されているのは、撹拌ステント８の形状構造、及びそれと撹拌モータ７又はマイクロ波撹拌板４との間の接続構造などにおいて、さらに、いろんな他の定番デザイン、例えば撹拌ステント８とマイクロ波撹拌板４との一体構造設計などであってもよく、ここで一々列挙はしない。
【００６８】
前に述べたように、マイクロ波炊飯器は、独特の調理室形状を有し、既存のマイクロ波撹拌アセンブリを使用し難いので、本発明では、マイクロ波炊飯器に整合するマイクロ波撹拌板４の頂面に弦Ａ４１に沿って上向き折り返しの弧弦部が形成され、該弧弦部は、上弧弦面４４の弦Ｂ４３から斜め下向きかつ内側に向けて前記頂面の弦Ａ４１に延伸する傾斜反射平面４２と、上弧弦面４４とを備える。弧弦部は切り口を設け、該切り口は、前記傾斜反射平面４２の中央部分以外、該中央部分に横開き穴４５が形成されている。また、前記マイクロ波撹拌板４の円心Ｏの一側に前記弧弦部が形成され、別の側に縦に貫通する第一長方形穴４７と第二長方形穴４８が設けられている。前記第一長方形穴４７及び第二長方形穴４８のそれぞれに近い端部は、相互に接近して夾角をなすように配置され、前記第一長方形穴４７の遠端は、前記弦Ａ４１の一方の端部に向けて延伸され、前記第二長方形穴４８の遠端は、前記弦Ａ４１の他方の端部に向けて延伸されている。そして、前記第一長方形穴４７及び第二長方形穴４８の前記円心Ｏに近い長い辺に、共に上向き折り返しの反射フランジ４９が形成されている。
【００６９】
そして、長方形穴は、マイクロ波を縦に通過させることに用いられ、上向き折り返しの弧弦部の外周縁部と調理室の内壁との間の隙間も、マイクロ波を通過することに用いられ、前記弧弦部における傾斜反射平面４２及び長方形穴における反射フランジ４９は、共にマイクロ波を反射することに用いられてもよく、前記弧弦部における切り口により形成される横開き穴４５は、傾斜反射平面４２と反射フランジ４９を通した多重反射後のマイクロ波の一部を、マイクロ波撹拌板４の頂面方向に沿って弧弦部を横方向に通過させる。そして、マイクロ波撹拌板４に関する構造設計は、横方向と縦方向のマイクロ波通過性及び多重反射を総合的に考慮したものである。マイクロ波は、マイクロ波入口９から調理室内に供給される。マイクロ波撹拌板４でかき回すことにより、マイクロ波に対して十分に撹拌し、マイクロ波の均一分散性を向上する。多くの試験を示すように、上述した構造を有するマイクロ波撹拌板４を十分に回転する際に、マイクロ波を非常に且つ十分撹拌することができ、円筒形調理室内のマイクロ波をより十分に分散させ、より均一に加熱させ、加熱の効率を向上する。
【００７０】
以上は、本発明によるマイクロ波撹拌板４の頂面の基本構造及びその機能である。本実施形態では、さらに、各基本構造の具体的な形状及び寸法関係等に関するデザインを最適化する。具体的には、前記弦Ａ４１と前記円心Ｏとの間の半径距離は０.３Ｄより小さくなく、ここで、Ｄは前記マイクロ撹拌板４の直径長さとする。弧弦部を２回で上向き折り返し、弦Ａ４１に沿って上向き折り返して傾斜反射平面４２を形成し、そして再度弦Ｂ４３に沿って折り返して上弧弦面４４、即ち「Ｚ」形のフランジが形成されている。ここで、該上弧弦面４４とマイクロ撹拌板４の頂面は、平行にすることが好ましく、美観を保持するようにする。傾斜反射平面４２と頂面との間の角度は１４５°〜１５０°、即ち図１４に示す角度は３０°〜３５°とすることが好ましい。反射フランジ４９と傾斜反射平面４２とは、対向して配置され、且つ縦に上向き折り返すことが好ましく、傾斜反射平面４２の高さは、前記反射フランジ４９の高さより小さくなく、即ち、折り返し高さＨはフランジ高さＨ１より大きく、三者を組合せて最適化する反射効果を取得することができる。反射フランジ４９は、円心Ｏに近い長い辺の遠端から長い辺の中央部に延伸していることが好ましい。
【００７１】
第一長方形穴４７と第二長方形穴４８との間に、直角の角をなすように配置されおり、即ち図１６に示す夾角ｂは９０°であることが好ましい。より好ましくは、マイクロ撹拌板４の頂面の構造対称にして反射効果を強めるために、第一長方形穴４７と第二長方形穴４８は、それぞれ自体の長さ方向での中間線の延長線に沿って交差でき、図１６に示すように、該交差点、円心Ｏ、前記三角形の頂点Ｏ’は、略同一線上にある。
【００７２】
また、前記弧弦部における切り口は、三角形の切り口、特に正三角形の切り口であることが好ましく、該切り口の三角形の底辺（非切削エッジ）は前記弦Ａ４１と平行に整列し、三角形の頂点Ｏ’と前記円心Ｏとの間の接続線は、前記弦Ａ４１と弦Ｂ４３に略直交し、図１６を参照されたい。三角形の切り口の二つの側辺は実際切削エッジであり、該切削エッジは、前記上弧弦面４４から前記マイクロ波撹拌板４の頂面まで下向きに切削し、傾斜反射平面４２上に切削された部分は取り除くことができ、最終的に前記横開き穴４５を形成する。
【００７３】
具体的な実施様態として、図示するマイクロ波撹拌板４において、ディスクの直径Ｄは１０３〜１２８ｍｍ、前記弦Ａ４１と前記円心Ｏとの間の半径距離、即ちコードの距離Ｊは３８〜４２ｍｍ、折り返し高さＨは４.５ｍｍ、フランジ高さＨ１は３.５ｍｍ〜４.５ｍｍ、反射フランジ４９の長辺の長さＬは５５〜６０ｍｍ、広い縁の幅Ｗは１１.５〜１２.５ｍｍ、フランジの長さＬ１は２５〜３０ｍｍ、切削エッジの長さＱは２０〜２５ｍｍである。上記寸法の範囲内において、マイクロ波撹拌板４に対して繰り返してテストをし、非常に優れたマイクロ波撹拌効果を取得することができた。
【００７４】
上記の円筒形調理室、マイクロ波送信機構及び撹拌アセンブリを組合せることで、図６に示すマイクロ波炊飯器のチャンバ構造を構成している。図８〜図１０を参照して、撹拌アセンブリ及び導波モジュール６と、マグネトロンとは、共にボトムキャップ５の底部に装着されている。導波モジュール６の一端は、ボトムキャップ５の底部に当接され、且つねじなどを通して固定しても良く、他の端にマグネトロン１１を装着し、ボトムキャップ５にマイクロ波入口９が設けられ、導波モジュール６のマイクロ波出口１０はマイクロ波入口９に対向され、撹拌モータ７は、モータステント６４を通してねじなどを利用してボトムキャップ５の底部に装着して固定しても良く、撹拌モータ７の方形出力軸７１は、軸穴、マイクロ波出口１０及びマイクロ波入口９を順次に通過し、ボトムキャップ５に挿入して撹拌ステント８に接続され、マイクロ撹拌板４を駆動して回転するようにする。ボトムキャップ５に開口が設計されるのは、マイクロ波の通過に用いるのみならず、更に組み立てた時の揃えに有利になる。
【００７５】
図６に示すように、マイクロ波炊飯器のチャンバ構造は、レイアウトがコンパクトかつ合理的であり、周方向ケーシング１７（図４を参照）包装を増設した後に、電子レンジ加熱機能を有する炊飯器を構成し、見かけはもっと美しくなり、既存の体型が大きい直方体の電子レンジに比べて、マイクロ波炊飯器の体型はより小さくなり、室内での移動、放置、更に輸送携帯に便利になり、マイクロ波加熱製品の多様化を実現し、更に市場において潜在的な大量の取引先の美しさの評価と実際の機能に対する要求を満たすことができる。
【００７６】
以上、本発明の好適な実施形態を詳細に説明したが、本発明は上記実施形態に述べた細かい内容に限定されるものではなく、本発明の技術的発想の範囲内で、本発明の技術方案に対して様々な簡単な変更を行うことができる、例えば、調理室の形状は、本実施形態に挙げられた円筒形以外の方筒形であってもよく、撹拌モータ７と撹拌ステント８との間の方形出力軸７１と、方形内穴との配置構造は、一般的なキーみぞ結合に変更できるが、それらの簡単な変更はいずれも本発明の技術的発想を超えず、本発明の保護の範囲に属している。
【００７７】
他に、上記の具体的な実施形態に記載される個々の具体的な技術的特徴は、矛盾がなければ、任意の適切な方法で組み合わせることができる。不要な重複を避けるために、種々の組み合わせ方法については、別途説明しない。
【００７８】
また、本発明の種々の実施形態は任意に組み合わせることができるが、本発明の思想に反しない限り、本発明に開示した内容と同じであるとみなされるべきである。
【符号の説明】
【００７９】
１  トップキャップ
２  チャンバ
３  シェルフ
４  マイクロ波撹拌板
５  ボトムキャップ
６  導波モジュール
７  撹拌モータ
８  撹拌ステント
９  マイクロ波供給口
１０  マイクロ波出口
１１  マグネトロン
１２  マイクロ波入口
１３  アングル材
１４  溶接接続板
１５  フランジ穴
１６  球面溝
１７  周方向ケーシング
１８  ペデスタル
１９  ラジエータファン
２０  インナーポット
２１  インバータ
２２  ヒンジ機構
２３  インターロック機構
２４  コントロールパネルモジュール
２５  ドアフック
２６  ドア表面
２７  ドア本体
２８  ドアシール
２９  シールリング
４１  弦Ａ
４２  傾斜反射平面
４３  弦Ｂ
４４  上弧弦面
４５  横開き穴
４６  カードスロット
４７  第一長方形穴
４８  第二長方形穴
４９  反射フランジ
６１  ベースボトム板
６２  カバー板
６３  マイクロ波伝送キャビティ
６４  モータサポート
７１  方形出力軸
８１  係爪
２２１  ピボット軸
２２２  トーションスプリング
６１１  第一横方向ボトム板
６１２  下延長板
６１３  第二横方向ボトム板
６１４  ボトム板フランジ
６２１  横方向カバー板
６２２  縦方向カバー板
Ｏ  円心
Ｏ’  三角形の頂点
ａ、ｂ  夾角
Ｄ  ディスクの直径
Ｈ  折り返し高さ
Ｈ１  フランジ高さ
Ｊ  コードの距離
Ｌ１  フランジ長さ
Ｌ  長辺の長さ
Ｑ  切削エッジの長さ
Ｗ  広い縁の幅
【図１】
0006624745.tif 000002
【図２】
0006624745.tif 000003
【図３】
0006624745.tif 000004
【図４】
0006624745.tif 000005
【図５】
0006624745.tif 000006
【図６】
0006624745.tif 000007
【図７】
0006624745.tif 000008
【図８】
0006624745.tif 000009
【図９】
0006624745.tif 000010
【図１０】
0006624745.tif 000011
【図１１】
0006624745.tif 000012
【図１２】
0006624745.tif 000013
【図１３】
0006624745.tif 000014
【図１４】
0006624745.tif 000015
【図１５】
0006624745.tif 000016
【図１６】
0006624745.tif 000017
【図１７】
0006624745.tif 000018